(57)【要約】【課題】  餌料生物がその種類に応じて、無数の微細な多種多様の形状及び大きさの空間から、餌料生物にとって好ましい空間を住処として選択して増殖することができる餌料生物増殖装置を提供すること。【解決手段】  複数の開口部１２ａを有する収容体１１内に網状体８が詰め込まれ、この収容体１１に対して海水や水が開口部１２ａを通って流入及び流出する餌料生物増殖装置６において、収容体１１内に詰め込まれた網状体８は、その全体が、収容体１１の縦、横及び斜めの各方向において互いに入り組んだ立体的形状を成し、互いに重なり合う部分が少なくなるように構成されている。【選択図】      図２
0003184957.tif 000002
【実用新案登録請求の範囲】
【請求項１】
網状体が開口部を有する収容体内に詰め込まれ、この収容体に対して海水や水が前記開口部を通って流入及び流出する餌料生物増殖装置において、
前記収容体内に詰め込まれた前記網状体は、その全体が、前記収容体の縦、横及び斜めの各方向において互いに入り組んだ立体的形状を成し、互いに重なり合う部分が少なくなるように構成したことを特徴とする餌料生物増殖装置。
【請求項２】
前記網状体は、漁網又は海苔網として使用済みの網状体であることを特徴とする請求項１記載の餌料生物増殖装置。
【請求項３】
前記収容体内に複数の収容空間が複数の仕切り部によって形成され、これら複数の各収容空間に前記網状体が詰め込まれている構成であることを特徴とする請求項１又は２記載の餌料生物増殖装置。
【請求項４】
前記収容体は、全体が合成樹脂製であることを特徴とする請求項１乃至３のいずれかに記載の餌料生物増殖装置。
【請求項５】
前記収容体は、全体が金属製であることを特徴とする請求項１乃至３のいずれかに記載の餌料生物増殖装置。
【請求項６】
前記収容体の開口部には、網状部材又は格子状部材が設けられていることを特徴とする請求項１乃至５のいずれかに記載の餌料生物増殖装置。
【請求項７】
請求項１乃至６のいずれかに記載の餌料生物増殖装置を、鋼製枠体で形成された鋼製魚礁、コンクリート製魚礁、消波ブロック、及び防波堤のいずれかに設けたことを特徴とする集魚装置。
【考案の詳細な説明】
【技術分野】
【０００１】
本考案は、魚類等の水産生物の餌となる餌料生物の集積、繁殖及び増殖を促進する餌料生物増殖装置及び集魚装置に関する。
【背景技術】
【０００２】
水産生物にとって有効な餌料生物であるヨコエビ、ワレカラ等は、その大きさがミリ単位前後又はそれ以下であり、微細かつ複雑な形状の空間を好んで集積し、繁殖し、増殖する傾向がある。このことを考慮した従来の集魚装置として、牡蠣殻を鉄枠構造体の内部に収容して海底に設置するものがある。
【０００３】
しかし、この集魚装置では、地域により或いは年により、牡蠣殻や類似の貝殻が所要量発生しないことがあり、牡蠣殻等を使用できないことがある。そして、これらの貝殻は重量が大きいので、この貝殻を収容する鉄枠構造体の強度を大きくする必要があり、そのために、この鉄枠構造体のコストが嵩むという問題がある。また、餌料生物の種類に応じて、貝殻の隙間の大きさや数を調節することが難しいという問題がある。
【０００４】
また、特許文献１には、図８に示すように、棒状体１を井桁状に組み付けた波浪減衰構造物２が記載されている。そして、この図８に示す棒状体１は、図９に示すように、芯材１ａであるパイプの周囲に網状物１ｂを巻き付けて、この巻き付けた網状物１ｂをロープ１ｃで芯材１ａに縛り付けたものである。図８に示す３は、浮子である。
【先行技術文献】
【特許文献】
【０００５】
【特許文献１】実開昭４８−０４４７３４号公報
【考案の概要】
【考案が解決しようとする課題】
【０００６】
しかし、図８及び図９に示す波浪減衰構造物２を構成する棒状体１では、芯材１ａであるパイプの周囲に網状物１ｂを巻き付けて、この巻き付けた網状物１ｂをロープ１ｃで心材に縛り付けたものであるので、網状物１ｂによって形成される多数の空間は、ほぼ或る一定の大きさ及び形状に形成されるため、餌料生物の種類に応じて、当該空間を適切な大きさ及び形状に設定することが難しいという問題がある。
【０００７】
その結果、従来の上記波浪減衰構造物２では、餌料生物の集積、繁殖、及び増殖を効果的に促進することが困難であると考えられる。
【０００８】
本考案は、上記のような課題を解決するためになされたものであり、餌料生物がその種類に応じて、無数の微細な多種多様の形状及び大きさの空間から、餌料生物にとって好ましい空間を住処として選択して増殖することができる餌料生物増殖装置及び集魚装置を提供することを目的としている。
【課題を解決するための手段】
【０００９】
本考案に係る餌料生物増殖装置は、網状体が開口部を有する収容体内に詰め込まれ、この収容体に対して海水や水が前記開口部を通って流入及び流出する餌料生物増殖装置において、前記収容体内に詰め込まれた前記網状体は、その全体が、前記収容体の縦、横及び斜めの各方向において互いに入り組んだ立体的形状を成し、互いに重なり合う部分が少なくなるように構成したことを特徴とするものである。
【００１０】
この考案に係る餌料生物増殖装置によると、網状体の全体が、収容体の縦、横及び斜めの各方向において互いに入り組んだ立体的形状を成し、互いに重なり合う部分が少なくなるように、この網状体を収容体内に詰め込んであるので、網状体を形成する糸によって囲まれた無数の微細な多種多様の形状及び大きさの空間を収容体内に形成することができる。
【００１１】
これによって、これら無数の微細な多種多様の形状及び大きさの空間を餌料生物の繁殖の住処として提供することができる。その結果、餌料生物は、その種類に応じて、これら無数の微細な多種多様の形状及び大きさの空間から、餌料生物にとって好ましい空間を住処として選択して増殖することができる。
【００１２】
また、この考案に係る餌料生物増殖装置によると、例えば網状体を折り畳んだり、棒状体に巻き付けたりすることで、この網状体によって、略一定の形状及び大きさの多数の微細な空間を形成するものではなく、網状体によって無数の微細な多種多様の形状及び大きさの空間を形成するものであるので、作業者は、網状体を綺麗に揃えて折り畳んだり、棒状体に巻き付ける作業が不要であり、網状体をくしゃくしゃの状態（雑然とした状態）で収容体内に詰め込むだけでよく、よって、この餌料生物増殖装置を製造する手間、時間及び費用の低減を図ることができる。
【００１３】
この考案に係る餌料生物増殖装置において、前記網状体は、漁網又は海苔網として使用済みの網状体であるものとするとよい。
【００１４】
このようにすると、使用済みの漁網又は海苔網を使用できるので、この使用済みの漁網又は海苔網を有効利用することができるし、使用済みの漁網又は海苔網の処分に掛かる手間、時間及び費用を削減することができる。
【００１５】
この考案に係る餌料生物増殖装置において、前記収容体内に複数の収容空間が複数の仕切り部によって形成され、これら複数の各収容空間に前記網状体が詰め込まれている構成であるものとするとよい。
【００１６】
このようにすると、収容体内の複数の各収容空間に詰め込まれた各網状体が、当該収容空間の一方の側に偏ることを抑制することができる。これによって、網状体によって形成される無数の微細な多種多様の形状及び大きさの空間を維持することができる。その結果、この餌料生物増殖装置による餌料生物の集積、繁殖、及び増殖の促進機能を長期間維持することができる。
【００１７】
この考案に係る餌料生物増殖装置において、前記収容体は、全体が合成樹脂製であるものとするとよい。
【００１８】
このようにすると、収容体が錆びて損傷することを防止できるので、餌料生物の集積、繁殖、及び増殖の促進機能を長期間維持することができる餌料生物増殖装置を提供することができる。
【００１９】
この考案に係る餌料生物増殖装置において、前記収容体は、全体が金属製であるものとするとよい。
【００２０】
このようにすると、剛性が高く低廉な餌料生物増殖装置を提供することができる。
【００２１】
この考案に係る餌料生物増殖装置において、前記収容体の開口部には、網状部材又は格子状部材が設けられているものとするとよい。
【００２２】
このようにすると、この収容体に対して海水や水が、網状部材等に形成されている多数の開口部を通って流入及び流出することができ、餌料生物の集積、繁殖、及び増殖を可能にすることができる。また、この網状部材等によって、例えば海中の浮遊物等が収容体内に収容されている網状体に接触することを防止して、この網状体が損傷することを防止できる。そして、網状体が収容体から抜け出ることも防止できる。よって、この餌料生物増殖装置による餌料生物の集積、繁殖、及び増殖の促進機能を長期間維持することができる。
【００２３】
本考案に係る集魚装置は、本考案に係る餌料生物増殖装置を、鋼製枠体で形成された鋼製魚礁、コンクリート製魚礁、消波ブロック、及び防波堤のいずれかに設けたことを特徴とするものである。
【００２４】
この考案に係る集魚装置によると、餌料生物増殖装置を鋼製魚礁、コンクリート製魚礁、消波ブロック、又は防波堤に設けた構成としたので、この餌料生物増殖装置を設置するための設置用構造体を鋼製魚礁、コンクリート製魚礁等と、別個に製作したり、それらとは別の設置スペースを確保する必要がなく経済的である。そして、餌料生物増殖装置を魚礁に設けることとすると、魚類等の水産生物の住処に餌料生物を増殖することができ、水産生物の繁殖を効率的に促進することができる。
【考案の効果】
【００２５】
この考案に係る餌料生物増殖装置によると、餌料生物は、その種類に応じて、網状体で形成された無数の微細な多種多様の形状及び大きさの空間から、餌料生物にとって好ましい空間を住処として選択して増殖することができる構成としたので、餌料生物の集積、繁殖及び増殖を効果的に促進することができる。その結果、この餌料生物増殖装置が設置された海域等に、魚類等の水産生物を効果的に集めたり繁殖させることができる。
【図面の簡単な説明】
【００２６】
【図１】（ａ）はこの考案の第１実施形態に係る餌料生物増殖装置に使用される網状体の広げた状態を示す斜視図、（ｂ）は図１（ａ）の網状体をくしゃくしゃにした状態を示す斜視図である。
【図２】図１（ｂ）に示す網状体が収容体内にくしゃくしゃの状態で詰め込まれている餌料生物増殖装置を示す斜視図である。
【図３】図２に示す餌料生物増殖装置が取り付けられた同第１実施形態に係る集魚装置を示す斜視図である。
【図４】同考案の第２実施形態に係る集魚装置を示す斜視図である。
【図５】同考案の第３実施形態に係る集魚装置を示す斜視図である。
【図６】同考案の第４実施形態に係る集魚装置を示す斜視図である。
【図７】同考案の第５実施形態に係る集魚装置を示す断面図である。
【図８】従来の波浪減衰構造物を示す正面図である。
【図９】図８に示す波浪減衰構造物を構成する棒状体を示す図であり、（ａ）は、正面図、（ｂ）は、縦断面図である。
【考案を実施するための形態】
【００２７】
以下、本考案に係る餌料生物増殖装置及び集魚装置の第１実施形態を図１〜図３を参照して説明する。図２は、餌料生物増殖装置６を示す斜視図である。餌料生物増殖装置６は、魚類等の水産生物の餌となる餌料生物の集積、繁殖及び増殖を促進するものである。図３は、例えば４つの餌料生物増殖装置６が設けられている集魚装置７を示す斜視図である。この集魚装置７は、例えば海底や湖底に設置されて使用されるものである。
【００２８】
図２に示す餌料生物増殖装置６は、収容体１１と、この収容体１１内に収容されている網状体８とを備え、この網状体８が複数の開口部１２ａを有する収容体１１内に詰め込まれ、この収容体１１に対して海水や水が開口部１２ａを通って流入及び流出する構成のものである。
【００２９】
図２に示す収容体１１は、例えば縦、横のそれぞれの長さが約１．２ｍであり、高さが約０．４ｍの略直方体（６面体）の外観を有し、この収容体１１内に収容空間１１ａが形成されている。この収容体１１の縦、横、高さ方向の１２の各辺は、枠部材１１ｂによって形成され、６つの各面は、網状部材１２又は格子状部材によって形成されている。網状部材１２又は格子状部材には、多数の開口部１２ａが形成されている。
【００３０】
この収容体１１を構成する全ての枠部材１１ｂ、及び網状部材１２又は格子状部材は、例えば合成樹脂製（プラスチック製）である。ただし、これに代えてこの収容体１１を鉄、ステンレス等の金属製としてもよい。
【００３１】
この収容体１１は、餌料生物増殖装置６が例えば海底に設置されて長期間経過しても、内部に詰め込まれている網状体８を確実に保持できる大きさ、形状、材質、強度に設定されている。
【００３２】
また、収容体１１は、図２に示すように、略直方体としたが、これ以外の多面体や略円筒形の形状としてもよい。
【００３３】
そして、例えば略円筒形の収容体１１とするときは、図には示さないが、合成樹脂製又は金属製の網状部材１２を円筒形に形成し、その円筒形の網状部材１２の内部に網状体８を上記のようにくしゃくしゃにして詰め込み、しかる後に、円筒形の網状部材１２の両端開口部をキャップで閉塞したものとすることができる。そして、このように形成された餌料生物増殖装置を設置用構造体に取り付け易くすると共に、内部の網状体８の偏りを抑制するために、この略円筒形の餌料生物増殖装置の中心に例えば金属製の芯棒を装着して、その芯棒がキャップから外側に突出するようにすることができる。この芯棒の両端部を設置用構造体に取り付けることによって、餌料生物増殖装置を設置用構造体に設けることができる。
【００３４】
図１（ａ）は、図２に示す餌料生物増殖装置６内に詰め込まれる網状体８を示す図である。この網状体８は、例えば使用済み又は未使用の魚網又は海苔網を海水等で洗浄して、適当な大きさに切り取って形成したものである。
【００３５】
つまり、内部に網状体８が詰め込まれた餌料生物増殖装置６を製造するときは、まず、例えば収容体１１を製造すると共に、図１（ａ）に示すように、洗浄された魚網等を矩形の所定の大きさに切り取って網状体８を製造する。次に、図１（ｂ）に示すように、この網状体８の全体をくしゃくしゃにして収容体１１内に詰め込む。この収容体１１内に詰め込まれた網状体８は、その全体が、収容体１１の縦、横及び斜めの各方向において互いに入り組んだ立体的形状を成し、互いに重なり合う部分が少なくなるように構成されている。このようにして、図２に示す餌料生物増殖装置６を製造することができる。
【００３６】
次に、図３に示す集魚装置７を説明する。この集魚装置７は、魚礁１３に対して、図２に示す餌料生物増殖装置６を例えば４つ設けたものである。この魚礁１３は、海底、湖底、又は川底に沈設されるものであり、４つの漁礁ユニット１４と、この４つの漁礁ユニット１４が取り付けられている基台１５と、吊下げ部１６とを備えている。この吊下げ部１６は、海底、湖底、又は川底に沈設されている集魚装置７を引き上げたり沈設するためのものである。
【００３７】
そして、基台１５に取り付けられている４つの各漁礁ユニット１４は、例えば保守、点検、修理等のために、この基台１５から着脱可能になっており、別の漁礁ユニット１４に取り替え可能な構成となっている。また、４つの各漁礁ユニット１４は、互いに間隔を隔てて基台１５に取り付けられている。
【００３８】
図３に示す４つの各漁礁ユニット１４は、それぞれ同等のものであり、鉄骨部材を溶接等により結合させて、外観として縦長の略直方体形状に製作したものである。つまり、漁礁ユニット１４は、下段部、中段部及び上段部を有している。ただし、餌料生物増殖装置６の収容体１１は、合成樹脂製又は金属製である。
【００３９】
そして、この上段部に餌料生物増殖装置６が水平状態にして設けられている。また、中段部には、多数の素焼瓦１７が取り付けられ、下段部には、多数の栗石１８が配置されている。なお、この集魚装置７は、その横幅及び奥行きのそれぞれが例えば約３．５ｍである。
【００４０】
この図３に示す集魚装置７は、例えば海底に設置して使用することができる。この集魚装置７には、複数の餌料生物増殖装置６が設けられ、各餌料生物増殖装置６には、図１（ｂ）に示すように、網状体８がくしゃくしゃの状態で詰め込まれている。この餌料生物増殖装置６によると、収容体１１内に詰め込まれた網状体８は、その全体が、収容体１１の縦、横及び斜めの各方向において互いに入り組んだ立体的形状を成し、互いに重なり合う部分が少なくなるように収容体１１内に詰め込まれているので、網状体８を形成する糸によって囲まれた無数の微細な多種多様の形状及び大きさの空間を収容体１１内に形成することができる。
【００４１】
これによって、これら無数の微細な多種多様の形状及び大きさの空間を餌料生物の繁殖の住処として提供することができる。その結果、餌料生物は、その種類に応じて、これら無数の微細な多種多様の形状及び大きさの空間から、餌料生物にとって好ましい空間を住処として選択して増殖することができる。よって、餌料生物の集積、繁殖及び増殖を効果的に促進することができる。その結果、この餌料生物増殖装置６が設置された海域等に、魚類等の水産生物を効果的に集めたり繁殖させることができる。
【００４２】
また、この餌料生物増殖装置６によると、例えば網状体８を折り畳んだり、棒状体に巻き付けたりすることで、この網状体８によって、略一定の形状及び大きさの多数の微細な空間を形成するものではなく、網状体８によって無数の微細な多種多様の形状及び大きさの空間を形成するものであるので、作業者は、網状体８を綺麗に揃えて折り畳んだり、棒状体に巻き付ける作業が不要であり、網状体８をくしゃくしゃの状態（雑然とした状態）で収容体１１内に詰め込むだけでよく、よって、この餌料生物増殖装置６を製造する手間、時間及び費用の低減を図ることができる。
【００４３】
更に、この餌料生物増殖装置６を海底等に長期間設置したことによって、網状体８によって形成された無数の微細空間の大きさや形状が変わることがあっても、この無数の微細空間は、もともと無数の微細な多種多様の形状及び大きさの空間であるので、餌料生物の集積、繁殖、及び増殖の促進機能を長期間維持することができる。
【００４４】
そして、図１に示す網状体８は、漁網又は海苔網として使用済みの網状体を使用する。このように、使用済みの漁網又は海苔網を使用すると、使用済みの漁網又は海苔網を有効利用することができるし、使用済みの漁網又は海苔網の処分に掛かる手間、時間及び費用を削減することができる。
【００４５】
また、図２に示す収容体１１は、６面体等の多面体である。このように、収容体１１を６面体等の多面体とすると、この餌料生物増殖装置６を例えば漁礁や防波堤に簡単に取り付けることができる。そして、多面体に形成された収容体１１の水中に向かう面を網状部材１２又は格子状部材で形成すると、この収容体１１に対して海水や水が、網状部材１２等に形成されている多数の開口部１２ａを通って流入及び流出することができ、餌料生物の集積、繁殖、及び増殖を可能にすることができる。また、この網状部材１２等によって、例えば海中の浮遊物等が収容体１１内に収容されている網状体８に接触することを防止して、この網状体８が損傷することを防止できる。そして、網状体８が収容体１１から抜け出ることも防止できる。よって、この餌料生物増殖装置６による餌料生物の集積、繁殖、及び増殖の促進機能を長期間維持することができる。
【００４６】
更に、図２に示す収容体１１は、全体が合成樹脂製である。このようにすると、収容体１１が錆びて損傷することを防止できるので、餌料生物の集積、繁殖、及び増殖の促進機能を長期間維持することができる餌料生物増殖装置６を提供することができる。そして、収容体１１を金属製とすると、剛性が高く低廉な餌料生物増殖装置６を提供することができる。
【００４７】
そして、図３に示す集魚装置７によると、図２に示す餌料生物増殖装置６を設置するための設置用構造体を図３に示す鋼製魚礁１３と別個に製作したり、それらとは別の設置スペースを確保する必要がなく経済的である。そして、餌料生物増殖装置６を魚礁１３に設けることとすると、魚類等の水産生物の住処に餌料生物を増殖することができ、水産生物の繁殖を効率的に促進することができる。
【００４８】
次に、図４を参照して、この考案に係る集魚装置の第２実施形態を説明する。図４に示す第２実施形態の集魚装置２０は、魚礁２１に対して、図２に示す餌料生物増殖装置６と同等のものを例えば２つ設けたものである。この魚礁２１は、第１実施形態と同様に、海底、湖底、又は川底に沈設されるものであり、この魚礁２１が取り付けられている基台１５と、吊下げ部１６とを備えている。この吊下げ部１６は、海底、湖底、又は川底に沈設されている集魚装置２０を引き上げたり沈設するためのものである。
【００４９】
図４に示す魚礁２１は、鉄骨部材を溶接等により結合させて、外観として略直方体形状に製作したものであり、下段部、中段部及び上段部を有している。ただし、餌料生物増殖装置６の収容体１１は、合成樹脂製又は金属製である。
【００５０】
そして、この上段部に２つの餌料生物増殖装置６が水平状態にして互いに間隔を隔てて平行に設けられている。また、中段部及び下段部には、多数の素焼瓦１７が取り付けられている。なお、この集魚装置２０は、その横幅及び奥行きのそれぞれが例えば約２．５ｍである。
【００５１】
この図４に示す第２実施形態の集魚装置２０及び餌料生物増殖装置６は、図３に示す第１実施形態の集魚装置７及び餌料生物増殖装置６と同等の作用を奏することができる。
【００５２】
次に、図５を参照して、この考案に係る集魚装置の第３実施形態を説明する。図５に示す第３実施形態の集魚装置２３は、鋼製の魚礁２４に対して、図２に示す餌料生物増殖装置６を多数設けたものである。この鋼製の魚礁２４は、鉄骨部材を溶接等により結合させて、全体として四角錐台形状に製作したものである。つまり、魚礁２４は、下側矩形枠体２６と、それよりも小さい上側矩形枠体２７と、この上側矩形枠体２７と下側矩形枠体２６とを互いに連結する複数本の傾斜部材２８とを備えている。そして、この魚礁２４の４つの各傾斜面を形成する傾斜部材２８に対して複数本の水平部材２９が設けられており、この水平部材２９に図２に示す餌料生物増殖装置６が多数設けられている。また、上側矩形枠体２７にも複数本の水平部材２０が設けられており、この水平部材２０にも多数の餌料生物増殖装置６が設けられている。なお、この集魚装置２３は、その横幅及び奥行きのそれぞれが例えば約６ｍである。
【００５３】
この図５に示す第３実施形態の集魚装置２３及び餌料生物増殖装置６は、図３に示す第１実施形態の集魚装置７及び餌料生物増殖装置６と同等の作用を奏することができる。
【００５４】
次に、図６を参照して、この考案に係る集魚装置の第４実施形態を説明する。図６に示す第４実施形態の集魚装置３１は、図５に示す第３実施形態の集魚装置２３の下部に、栗石収容体３２を設けたものである。この栗石収容体３２は、鉄骨部材を使用して平らな略直方体形状に形成したものである。この栗石収容体３２内には、複数の栗石収容籠３３、・・・が設けられ、それぞれの栗石収容籠３３内には、多数の栗石１８、・・・が配置されている。この栗石１８は、栗石１８の重量によって、集魚装置３１を海底に安定して設置することができる。そして、多数の栗石１８どうしの間には、多数の複雑な形状の隙間が形成されるので、それぞれの隙間が餌料生物や魚類の住処となり、餌料生物や魚類の繁殖を促進することができる。これ以外は、図５に示す第３実施形態の集魚装置２３と同等であり、同様に作用するので、それらの説明を省略する。
【００５５】
次に、図７を参照して、この考案に係る集魚装置の第５実施形態を説明する。図７に示す第５実施形態の集魚装置３６は、防波堤３７の側面に対して図２に示す餌料生物増殖装置６を、アンカーボルト等を使用して設けたものである。この餌料生物増殖装置６は、海水の水位が変動したときでも、常に水没する位置に設けられている。
【００５６】
図７に示す集魚装置３６によると、餌料生物増殖装置６を防波堤３７に設けた構成としたので、この餌料生物増殖装置６を海底等に設置するためのスペースを確保する必要がないし、餌料生物増殖装置６を設置するための設置用構造体を防波堤３７と別個に製作する必要がなく経済的である。
【００５７】
ただし、図７に示す第５実施形態の集魚装置３６では、防波堤３７の平坦な側面に対して餌料生物増殖装置６を取り付けたが、これに代えて、防波堤３７に凹部を形成し、この凹部内に収容されるように餌料生物増殖装置６を取り付けた集魚装置としてもよい。
【００５８】
そして、図３に示す第１実施形態の集魚装置７では、では、漁礁１３に餌料生物増殖装置６を取り付けたが、これに代えて、消波ブロックに餌料生物増殖装置を取り付けた集魚装置としてもよい。
【００５９】
この消波ブロックは、略円錐台状の４つの突起を、所定の中心位置から４方向に放射状に突出するように設けたものである。各突起の側面には、その突出方向と略平行して収容凹部が形成されており、各収容凹部に餌料生物増殖装置が設けられている。
【００６０】
この集魚装置によると、餌料生物増殖装置を消波ブロックに設けた構成としたので、この餌料生物増殖装置を海底等に設置するためのスペースを確保する必要がないし、餌料生物増殖装置を設置するための設置用構造体を消波ブロックと別個に製作する必要がなく経済的である。
【００６１】
また、図３に示す第１実施形態の集魚装置７では、漁礁１３に餌料生物増殖装置６を取り付けたが、これに代えて、コンクリート製魚礁の内部に餌料生物増殖装置を配置して、この餌料生物増殖装置を、ワイヤを介してコンクリート製魚礁に連結した集魚装置としてもよい。
【００６２】
更に、上記実施形態では、図３に示す収容体１１内に１つの収容空間１１ａを形成し、その１つの収容空間１１ａに網状体８を詰め込んだ構成としたが、これに代えて、収容体１１内に複数の収容空間１１ａを複数の仕切り部によって形成し、これら複数の各収容空間１１ａに網状体８を詰め込んだ構成としてもよい。
【００６３】
このようにすると、収容体１１内の複数の各収容空間１１ａに詰め込まれた各網状体８が、当該収容空間１１ａの一方の側に偏ることを抑制することができる。これによって、網状体８によって形成される無数の微細な多種多様の形状及び大きさの空間を維持することができる。その結果、この餌料生物増殖装置６による餌料生物の集積、繁殖、及び増殖の促進機能を長期間維持することができる。
【００６４】
そして、上記実施形態では、網状体８を魚網又は海苔網で形成したが、魚網又は海苔網以外の網状のものを使用して形成してもよい。
【００６５】
また、上記実施形態では、図２に示すように、収容体１１の６面全部に網状部材１２を設けたが、餌料生物増殖装置の取り付ける設置用構造体の形状や構造に応じて、網状部材１２を少なくとも水中に向かう各面に設けるようにしてもよい。
【産業上の利用可能性】
【００６６】
以上のように、本考案に係る餌料生物増殖装置及び集魚装置は、餌料生物がその種類に応じて、無数の微細な多種多様の形状及び大きさの空間から、餌料生物にとって好ましい空間を住処として選択して増殖することができる優れた効果を有し、このような餌料生物増殖装置及び集魚装置に適用するのに適している。
【符号の説明】
【００６７】
６  餌料生物増殖装置
７  集魚装置
８  網状体
１１  収容体
１１ａ  収容空間
１１ｂ  枠部材
１２  網状部材又は格子状部材
１２ａ  開口部
１３  漁礁
１４  漁礁ユニット
１５  基台
１６  吊下げ部
１７  素焼瓦
１８  栗石
２０  集魚装置
２１  漁礁
２３  集魚装置
２４  漁礁
２６  下側矩形枠体
２７  上側矩形枠体
２８  傾斜部材
２９  水平部材
３１  集魚装置
３２  栗石収容体
３３  栗石収容籠
３６  集魚装置
３７  防波堤
【図１】
0003184957.tif 000003
【図２】
0003184957.tif 000004
【図３】
0003184957.tif 000005
【図４】
0003184957.tif 000006
【図５】
0003184957.tif 000007
【図６】
0003184957.tif 000008
【図７】
0003184957.tif 000009
【図８】
0003184957.tif 000010
【図９】
0003184957.tif 000011